(57)【要約】【課題】ネットワークを利用して、パーソナルコンピュータで作成した文書データをスキャンした画像データに挿入し、さらにフィニッシング処理を加えて効率良く画像を出力する。【解決手段】画像処理装置における主制御部は、タグ情報が付与される頁情報に基づいて、スキャン画像にＰＣ作成文書を挿入し、プリンタ部を用いて出力するか、あるいはネットワークを用いてパーソナルコンピュータ（ＰＣ）に送信する。【選択図】    図２
2004222224.tif 000002
【特許請求の範囲】
【請求項１】
通信回線を介して外部機器に接続され、画像を形成する画像形成装置において、
原稿の画像を読み取る読取部と、
この読取部で読み取った第１の画像データを保存する保存部と、
この保存部に保存された画像データに基づいて画像を形成する画像形成部と、
上記外部機器から上記通信回線を介して送信された第２の画像データを受信する受信部と、
この受信部で受信された第２の画像データを上記保存部に保存する制御を行う第１の制御部と、
上記保存部に保存された第１の画像データに第２の画像データを挿入して画像を形成する画像形成情報を設定する設定部と、
この設定部で設定された画像形成情報に基づいて、上記保存部に保存された第１の画像データと第２の画像データを読み出し、当該第１の画像データに第２の画像データを挿入して上記画像形成部で画像を形成する制御を行う第２の制御部と、
を具備したことを特徴とする画像形成装置。
【請求項２】
通信回線を介して外部機器に接続され、画像を形成する画像形成装置において、
原稿の画像を読み取る読取部と、
この読取部で読み取った第１の画像データを保存する保存部と、
上記外部機器から上記通信回線を介して送信された第２の画像データを受信する受信部と、
この受信部で受信された第２の画像データを上記保存部に保存する制御を行う第１の制御部と、
上記保存部に保存された第１の画像データに第２の画像データを挿入する挿入情報と、この挿入情報に基づく画像データを上記外部機器に送信する設定を行う設定部と、
この設定部で設定された挿入情報に基づいて、上記保存部に保存された第１の画像データと第２の画像データを読み出し、当該第１の画像データに第２の画像データを挿入して上記通信回線を介して上記外部機器に送信する制御を行う第２の制御部と、
を具備したことを特徴とする画像形成装置。
【請求項３】
通信回線を介して外部機器に接続され、画像を形成する画像形成装置の画像形成方法であって、
原稿の画像を読み取った第１の画像データを保存部に保存し、
上記外部機器から送信された第２の画像データを上記通信回線を介して受信し、
この受信された第２の画像データを上記保存部に保存し、
上記保存部に保存された第１の画像データに第２の画像データを挿入する挿入情報を設定し、
この設定された挿入情報に基づいて、上記保存部に保存された第１の画像データと第２の画像データを読み出し、当該第１の画像データに第２の画像データを挿入する制御を行うようにしたことを特徴とする画像形成方法。
【発明の詳細な説明】
【０００１】
【発明の属する技術分野】
この発明は、ネットワークを介して双方向通信が可能なパーソナルコンピュータが接続され、スキャナで原稿の画像を読み取って画像を形成する画像形成装置と画像形成方法に関する。
【０００２】
【従来の技術】
近年、コピー機とプリンタさらにはネットワークスキャン機能を搭載したデジタル複合機の普及率が高くなってきている。さらに、このデジタル複合機では、フィニッシャ等を搭載することにより、出力画像に対してフィニッシング（ステイプル、マガジンソート、サドルステッチ等）を設定することで、簡単な小冊子を作成することも可能となっている。
【０００３】
従来、デジタル複合機等の画像形成装置において、パーソナルコンピュータ（ＰＣ）で作成した文書を画像原稿の中に挿入したい場合、まずプリント機能を利用してＰＣから文書データを送信し、プリント出力した後、画像原稿の間にプリント出力した文書原稿を手作業により挿入していた。さらに、ステイプル止め等の後処理も全て手作業で行うため、非常に効率が悪いという問題があった。
【０００４】
画像原稿にプリント出力した文書を挿入した後、コピー機能を利用して出力することもできるが、プリント出力された画像をコピーするため、画質が劣化してしまい、画像が不鮮明になるという問題があった。
【０００５】
スキャン機能を用いてファイル化した画像データと、ＰＣで作成した文書が混在するデータを、一部として、Ｅ−ｍａｉｌ等で送信したい場合は、お互い別々にファイル化したデータを送信するか、またはＰＣ上でスキャン画像を挿入したデータを送信するため、非常に効率が悪かった。
【０００６】
【発明が解決しようとする課題】
上記したように、スキャン機能を用いてファイル化した画像データと、ＰＣで作成した文書が混在するデータを、一部として、Ｅ−ｍａｉｌ等で送信したい場合、お互い別々にファイル化したデータを送信するか、またはＰＣ上でスキャン画像を挿入したデータを送信するため、非常に効率が悪いという問題があった。
【０００７】
そこで、この発明は、ネットワークを利用して、パーソナルコンピュータで作成した文書データをスキャンした画像データに挿入し、さらにフィニッシング処理を加えて効率良く画像出力することができる画像形成装置と画像形成方法を提供することを目的とする。
【０００８】
【課題を解決するための手段】
この発明の画像形成装置は、通信回線を介して外部機器に接続され、画像を形成する画像形成装置において、原稿の画像を読み取る読取部と、この読取部で読み取った第１の画像データを保存する保存部と、この保存部に保存された画像データに基づいて画像を形成する画像形成部と、上記外部機器から上記通信回線を介して送信された第２の画像データを受信する受信部と、この受信部で受信された第２の画像データを上記保存部に保存する制御を行う第１の制御部と、上記保存部に保存された第１の画像データに第２の画像データを挿入して画像を形成する画像形成情報を設定する設定部と、この設定部で設定された画像形成情報に基づいて、上記保存部に保存された第１の画像データと第２の画像データを読み出し、当該第１の画像データに第２の画像データを挿入して上記画像形成部で画像を形成する制御を行う第２の制御部とから構成されている。
【０００９】
この発明の画像形成方法は、通信回線を介して外部機器に接続され、画像を形成する画像形成装置の画像形成方法であって、原稿の画像を読み取った第１の画像データを保存部に保存し、上記外部機器から送信された第２の画像データを上記通信回線を介して受信し、この受信された第２の画像データを上記保存部に保存し、上記保存部に保存された第１の画像データに第２の画像データを挿入する挿入情報を設定し、この設定された挿入情報に基づいて、上記保存部に保存された第１の画像データと第２の画像データを読み出し、当該第１の画像データに第２の画像データを挿入する制御を行うようにしたことを特徴とする。
【００１０】
【発明の実施の形態】
以下、この発明の一実施の形態について図面を参照して説明する。
【００１１】
図１は、この発明におけるカラー画像の複製画像を形成するデジタル式カラー複写機などの画像形成装置の内部構成を概略的に示している。この画像形成装置は、大別して、原稿上のカラー画像を読み取る画像読取手段としてのカラースキャナ部１と、読み取ったカラー画像の複製画像を形成する画像形成手段としてのカラープリンタ部２とから構成されている。
【００１２】
カラースキャナ部１は、その上部に原稿自動送り装置（ＡＤＦ）３を有し、閉じた状態にあるＡＤＦ３に対向配設され、原稿がセットされる透明ガラスからなる原稿台４を有している。原稿台４の下方には、原稿台４上に載置された原稿を照明する露光ランプ５、露光ランプ５からの光を原稿に集光させるためのリフレクタ６、および、原稿からの反射光を図面に対して左方向に折り曲げる第１ミラー７などが配設されている。露光ランプ５、リフレクタ６、および、第１ミラー７は、第１キャリッジ８に固定されている。第１キャリッジ８は、図示しないパルスモータによって駆動されることにより、原稿台４の下面に沿って平行移動されるようになっている。
【００１３】
第１キャリッジ８に対して図中左側、すなわち、第１ミラー７により反射された光が案内される方向には、図示しない駆動機構（たとえば、歯付きベルト並びに直流モータなど）を介して原稿台４と平行に移動可能に設けられた第２キャリッジ９が配設されている。第２キャリッジ９には、第１ミラー７により案内される原稿からの反射光を図中下方に折り曲げる第２ミラー１１、および、第２ミラー１１からの反射光を図中右方向に折り曲げる第３ミラー１２がお互いに直角に配置されている。第２キャリッジ９は、第１キャリッジ８に従動されるとともに、第１キャリッジ８に対して１／２の速度で原稿台４に沿って平行移動されるようになっている。
【００１４】
第２、第３ミラー１１、１２で折り返された光の光軸を含む面内には、第３ミラー１２からの反射光を所定の倍率で結像させる結像レンズ１３が配置され、結像レンズ１３を通過した光の光軸と略直交する面内には、結像レンズ１３により集束性が与えられた反射光を電気信号に変換するＣＣＤ形カラーイメージセンサ（光電変換素子）１５が配設されている。
【００１５】
しかし、露光ランプ５からの光をリフレクタ６により原稿台４上の原稿に集光させると、原稿からの反射光は、第１ミラー７、第２ミラー１１、第３ミラー１２、および、結像レンズ１３を介してカラーイメージセンサ１５に入射され、ここで入射光がＲ（レッド）、Ｇ（グラーン）、Ｂ（ブルー）の光の３原色に応じた電気信号に変換される。
【００１６】
カラープリンタ部２は、周知の減色混合法に基づいて、各色成分ごとに色分解された画像、すなわち、イエロー（ｙ）、マゼンタ（ｍ）、シアン（ｃ）、および、ブラック（ｋ）の４色の画像をそれぞれ形成する第１〜第４の画像形成部１０ｙ、１０ｍ、１０ｃ、１０ｋを有している。
【００１７】
各画像形成部１０ｙ、１０ｍ、１０ｃ、１０ｋの下方には、各画像形成部により形成された各色ごとの画像を図中矢印ａ方向に搬送する搬送手段としての搬送ベルト２１を含む搬送機構２０が配設されている。搬送ベルト２１は、図示しないモータにより矢印ａ方向に回転される駆動ローラ９１と、駆動ローラ９１から所定距離離間された従動ローラ９２との間に巻回されて張設され、矢印ａ方向に一定速度で無端走行される。なお、各画像形成部１０ｙ、１０ｍ、１０ｃ、１０ｋは、搬送ベルト２１の搬送方向に沿って直列に配設されている。
【００１８】
各画像形成部１０ｙ、１０ｍ、１０ｃ、１０ｋは、それぞれ搬送ベルト２１と接する位置で外周面が同一の方向に回転可能に形成された像担持体としての感光体ドラム６１ｙ、６１ｍ、６１ｃ、６１ｋを含んでいる。各感光体ドラム６１ｙ、６１ｍ、６１ｃ、６１ｋは、図示しないモータにより所定の速度で回転されるようになっている。
【００１９】
各感光体ドラム６１ｙ、６１ｍ、６１ｃ、６１ｋは、その軸線がお互いに等間隔になるように配設されているとともに、その軸線は搬送ベルト２１により画像が搬送される方向と直交するよう配設されている。なお、以下の説明においては、各感光体ドラム６１ｙ、６１ｍ、６１ｃ、６１ｋの軸線方向を主走査方向（第２の方向）とし、感光体ドラム６１ｙ、６１ｍ、６１ｃ、６１ｋの回転方向、すなわち、搬送ベルト２１の回転方向（図中矢印ａ方向）を副走査方向（第１の方向）とする。
【００２０】
各感光体ドラム６１ｙ、６１ｍ、６１ｃ、６１ｋの周囲には、主走査方向に延出された帯電手段としての帯電装置６２ｙ、６２ｍ、６２ｃ、６２ｋ、除電送置６３ｙ、６３ｍ、６３ｃ、６３ｋ、主走査方向に同様に延出された現像手段としての現像ローラ６４ｙ、６４ｍ、６４ｃ、６４ｋ、下撹拝ローラ６７ｙ、６７ｍ、６７ｃ、６７ｋ、上境伴ローラ６８ｙ、６８ｍ、６８ｃ、６８ｋ、主走査方向に同様に延出された転写手段としての転写装置９３ｙ、９３ｍ、９３ｃ、９３ｋ、主走査方向に同様に延出されたクリーニングブレード６５ｙ、６５ｍ、６５ｃ、６５ｋ、および、排トナー回収スクリュ６６ｙ、６６ｍ、６６ｃ、６６ｋがそれぞれ感光体ドラム６１ｙ、６１ｍ、６１ｃ、６１ｋの回転方向に沿って順に配置されている。
【００２１】
なお、各転写装置９３ｙ、９３ｍ、９３ｃ、９３ｋは、対応する感光体ドラム６１ｙ、６１ｍ、６１ｃ、６１ｋとの間で搬送ベルト２１を狭持する位置、すなわち、搬送ベルト２１の内側に配設されている。また、後述する露光装置５０による露光ポイントは、それぞれ帯電装置６２ｙ、６２ｍ、６２ｃ、６２ｋと現像ローラ６４ｙ、６４ｍ、６４ｃ、６４ｋとの間の感光体ドラム６１ｙ、６１ｍ、６１ｃ、６１ｋの外周面上に形成される。
【００２２】
搬送機構２０の下方には、各画像形成部１０ｙ、１０ｍ、１０ｃ、１０ｋにより形成された画像を転写する被画像形成媒体としての用紙Ｐを複数枚収容した用紙カセット２２ａ、２２ｂが配置されている。
【００２３】
用紙カセット２２ａ、２２ｂの一端部であって、従動ローラ９２に近接する側には、用紙カセット２２ａ、２２ｂに収容されている用紙Ｐをその最上部から１枚ずつ取り出すピックアップローラ２３ａ、２３ｂが配置されている。ピックアップローラ２３ａ、２３ｂと従動ローラ９２との間には、用紙カセット２２ａ、２２ｂから取り出された用紙Ｐの先端と画像形成部１０ｙの感光体ドラム６１ｙに形成されたｙトナー像の先端とを整合させるためのレジスタローラ２４が配置されている。なお、他の感光体ドラム６１ｙ、６１ｍ、６１ｃに形成されたトナー像は、搬送ベルト２１上を搬送される用紙Ｐの搬送タイミングに合せて各転写位置に供給される。
【００２４】
レジストローラ２４と第１の画像形成部１０ｙとの間であって、従動ローラ９２の近傍、すなわち、実質的に搬送ベルト２１を挟んで従動ローラ９２の外周上には、レジストローラ２４を介して所定のタイミングで搬送される用紙Ｐに静電吸着力を付与するための吸着ローラ２６が配設されている。なお、吸着ローラ２６の軸線と従動ローラ９２の軸線とは、互いに平行になるように設定されている。
【００２５】
搬送ベルト２１の一端であって、駆動ローラ９１の近傍、すなわち、実質的に搬送ベルト２１を挟んで駆動ローラ９１の外周上には、搬送ベルト２１上に形成された画像の位置を検出するための位置ずれセンサ９６が配設されている。
【００２６】
位置ずれセンサ９６は、たとえば、透過形あるいは反射形の光センサにより構成される。
【００２７】
駆動ローラ９１の外周上であって、位置ずれセンサ９６の下流側の搬送ベルト２１上には、搬送ベルト２１上に付着したトナーあるいは用紙Ｐの紙かすなどを除去するための搬送ベルトクリーニング装置９５が配置されている。
【００２８】
搬送ベルト２１を介して搬送された用紙Ｐが駆動ローラ９１から離脱されて、さらに搬送される方向には、用紙Ｐを所定温度に加熱することにより用紙Ｐに転写されたトナー像を溶融し、トナー像を用紙Ｐに定着させる定着装置８０が配設されている。
【００２９】
定着装置８０は、ヒートローラ対８１、オイル塗布ローラ８２、８３、ウェブ巻き取りローラ８４、ウェブローラ８５、ウェブ押し付けローラ８６とから構成されている。用紙Ｐ用に形成されたトナーを用紙に定着させ、排紙ローラ対８７により排出される。
【００３０】
各感光体ドラム６１ｙ、６１ｍ、６１ｃ、６１ｋの外周面上にそれぞれ色分解された静電潜像を形成する露光装置５０は、後述する画像処理装置３６にて色分解された各色ごとの画像データ（Ｙ、Ｍ、Ｃ、Ｋ）に基づいて発光制御される半導体レーザ発振器６０を有している。
【００３１】
半導体レーザ発振器６０の光路上には、レーザビーム光を反射、走査するポリゴンモータ５４に回転されるポリゴンミラー５１、および、ポリゴンミラー５１を介して反射されたレーザビーム光の焦点を補正して結像させるためのｆθレンズ５２、５３が順に設けられている。
【００３２】
ｆθレンズ５３と各感光体ドラム６１ｙ、６１ｍ、６１ｃ、６１ｋとの間には、ｆθレンズ５３を通過した各色ごとのレーザビーム光を各感光体ドラム６１ｙ、６１ｍ、６１ｃ、６１ｋの露光位置に向けて折り曲げる第１の折り返しミラー５５ｙ、５５ｍ、５５ｃ、５５ｋ、および、第１の折り返しミラー５５ｙ、５５ｍ、５５ｃにより折り曲げられたレーザビーム光を更に折り曲げる第２および第３の折り返しミラー５６ｙ、５６ｍ、５６ｃ、５７ｙ、５７ｍ、５７ｃが配置されている。なお、黒用のレーザビーム光は、第１の折り返しミラー５５ｋにより折り返された後、他のミラーを経由せずに感光体ドラム６１ｋ上に案内されるようになっている。
【００３３】
図２は、図１に示したデジタル複写機の電気的接続および制御のための信号の流れの概略構成を示すブロック図です。図２において、制御系は、主制御部３０内のメインＣＰＵ（セントラル・プロセッシング・ユニット）９１、カラースキャナ部１のスキャナＣＰＵ１００、および、カラープリンタ部２のプリンタＣＰＵ１１０の３つのＣＰＵで構成される。メインＣＰＵ９１は、プリンタＣＰＵ１１０と共有ＲＡＭ（ランダム・アクセス・メモリ）３５を介して双方向通信を行うものであり、メインＣＰＵ９１は動作指示をだし、プリンタＣＰＵ１１０は状態ステータスを返すようになっている。プリンタＣＰＵ１１０とスキャナＣＰＵ１００はシリアル通信を行い、プリンタＣＰＵ１１０は動作指示をだし、スキャナＣＰＵ１００は状態ステータスを返すようになっている。操作パネル４１は、タッチパネル４３ａ、液晶表示部４３、各種操作キー（例えばプリントキー）４４、および、接続されたパネルＣＰＵ４２を有し、メインＣＰＵ９１に接続されている。主制御部３０は、メインＣＰＵ９１、ＲＯＭ（リード・オンリー・メモリ）３２、ＲＡＭ３３、ＮＶＲＡＭ３４、共有ＲＡＭ３５、画像処理装置３６、ページメモリ制御部３７、ページメモリ３８、外部インターフェース（外部Ｉ／Ｆ）３９、ハードディスク装置（ＨＤＤ）４０および、プリンタフォントＲＯＭ１２１によって構成されている。メインＣＰＵ９１は、全体的な制御を司るものである。ＲＯＭ３２は、制御プログラムなどが記憶されている。ＲＡＭ３３は、一時的にデータを記憶するものである。
【００３４】
ＮＶＲＡＭ（持久ランダム・アクセス・メモリ：ｎｏｎｖｏｌａｔｉｌｅ  ＲＡＭ）３４は、バッテリ（図示しない）にバックアップされた不揮発性のメモリであり、電源を遮断しても記憶データを保持するようになっている。共有ＲＡＭ３５は、メインＣＰＵ９１とプリンタＣＰＵ１１０との間で、双方向通信を行うために用いるものである。ページメモリ制御部３７は、ページメモリ３８に対して画像情報を記憶したり、読み出したりするものである。ページメモリ３８は、複数ページ分の画像情報を記憶できる領域を有し、カラースキャナ部１からの画像情報を圧縮したデータを１ページ分ごとに記憶可能に形成されている。プリンタフォントＲＯＭ１２１には、プリントデータに対応するフォントデータが記憶されている。外部Ｉ／Ｆ３９は、ネットワーク１４０を介してＰＣ１５０、１５１と接続される。ＰＣ１５０、１５１はそれぞれ、表示部１５０ａ、１５１ａを有する。
【００３５】
デジタル複合機１は、ＰＣ１５０、１５１とネットワーク１４０（インターネットやＬＡＮ等）を利用して、情報の受け渡しをする。これがネットスキャン機能である。これによって、ユーザはネットワーク１４０を介してスキャンした情報および、ＰＣ１５０、１５１等の外部機器内にある情報を利用することができる。例えば、プリント機能を用いてＰＣで作成した文書などをプリントアウトすることや、スキャナ機能を用いて原稿をスキャンし、これを電子ファイル化してＥ−ｍａｉｌで送信することである。
【００３６】
カラースキャナ部１は、全体の制御を司るスキャナＣＰＵ１００、制御プログラムなどが記憶されているＲＯＭ１０１、データ記憶用のＲＡＭ１０２、前記カラーイメージセンサ１５を駆動するＣＣＤドライバ１０３、前記第１キャリッジ８などを移動する走査モータの回転を制御する走査モータドライバ１０４、および、画像補正部１０５などによって構成されている。画像補正部１０５は、カラーイメージセンサ１５から出力されるＲ、Ｇ、Ｂのアナログ信号をそれぞれデジタル信号に変換するＡ／Ｄ変換回路、カラーイメージセンサ１５のばらつき、あるいは、周囲の温度変化などに起因するカラーイメージセンサ１５からの出力信号に対するスレッショルドレベルの変動を補正するためのシェーディング補正回路、および、シェーディング補正回路からのシェーディング補正されたデジタル信号を一旦記憶するラインメモリなどから構成されている。
【００３７】
カラープリンタ部２は、全体の制御を司るプリンタＣＰＵ１１０、制御プログラムなどが記憶されているＲＯＭ１１１、データ記憶用のＲＡＭ１１２、前記半導体レーザ発振器６０を駆動するレーザドライバ１１３、前記露光装置５０のポリゴンモータ５４を駆動するポリゴンモータドライバ１１４、前記搬送機構２０による用紙Ｐの搬送を制御する搬送制御部１１５、前記帯電装置、現像ローラ、および、転写装置を用いての帯電、現像、転写を行うプロセスを制御するプロセス制御部１１６、前記定着装置８０を制御する定着制御部１１７、および、オプションを制御するオプション制御部１１８などによって構成されている。なお、画像処理部３６、ページメモリ３８、プリンタコントローラ３９、画像補正部１０５、レーザドライバ１１３、共有ＲＡＭは、画像データバス１２０によって接続されている。
【００３８】
次に、第１実施例の処理動作を図３，４のフローチャートを参照して説明する。
【００３９】
まず、原稿のスキャン画像を入力する前に、このスキャン画像にＰＣ１５０で作成した文書を挿入する位置（頁）を指定する（ＳＴ１）。本第１実施例では、この指定を、挿入位置（頁）に白紙を挿入することで行う。例えば、原稿のスキャン画像４頁とＰＣ作成文書１頁を含む合計５頁を出力するものとする。このとき、ユーザは、ＰＣ作成文書を挿入したい頁（例えば３頁目）に白紙を挿入する。すなわち、１頁目を原稿、２頁目を原稿、３頁目を白紙原稿、４頁目を原稿、５頁目を原稿にしてスキャンさせる。
【００４０】
ここで、白紙原稿を含むスキャンする原稿がＡＤＦ３に載置される。ユーザが、操作パネル４１からスキャン指示をした際、メインＣＰＵ９１は、ＡＤＦ３およびカラースキャナ部１を用いて原稿をスキャンさせる（ＳＴ２）。メインＣＰＵ９１は、一旦、スキャン画像をＨＤＤ４０に保存する。
【００４１】
ユーザは、操作パネル４１を用いてスキャンされた画像のファイル名（ファイルヘッダー）を設定する。例えば、ファイル名として「ファイルＡ」が、設定されたものとする。メインＣＰＵ９１は、このスキャン画像にファイル名「ファイルＡ」を付与して、ＨＤＤ４０に保存する（ＳＴ３）。なお、ユーザは、必要に応じてスキャン画像を圧縮処理してＨＤＤ４０に保存するようにしてもよい。
【００４２】
続いて、メインＣＰＵ９１は、「ファイルＡ」をプリンタ出力するか否かを液晶表示部４３に表示してユーザに確認する（ＳＴ４）。
【００４３】
「ファイルＡ」をプリンタ出力する指示をした際、ユーザは、さらに操作パネル４１を利用してフィニッシングを設定する（ＳＴ５）。続いて、ユーザは、操作パネル４１からネットワーク１４０を介してＰＣ１５０にログインし、ＰＣ１５０内の作成文書（例えば、文書Ｂ）を指定する（ＳＴ６）。ＰＣ１５０は、ネットワーク１４０を介して指定された「文書Ｂ」をデジタル複合機（本体）１に送信する（ＳＴ７）。デジタル複合機１が「文書Ｂ」を受信した際、メインＣＰＵ９１は、ＨＤＤ４０に「文書Ｂ」を保存する（ＳＴ８）。
【００４４】
ここで、ユーザは、操作パネル４１から、ＨＤＤ４０に保存されている「ファイルＡ」を指定する（ＳＴ９）。メインＣＰＵ９１は、指定された「ファイルＡ」および「文書Ｂ」をＨＤＤ４０から読み出して、ページメモリ制御部３７に送信する。この際、メインＣＰＵ９１は、「ファイルＡ」の１頁ごとのデータ量を確認する。この確認は、所定の閾値と比較することによって、「白紙」のデータ量を持つ情報であるか否かを判断する。メインＣＰＵ９１は、「白紙」と判断した際、その頁情報にタグ情報を付与する。上述したように、３頁目に白紙を読み込ませたので、３頁目にタグ情報が付与される。
【００４５】
メインＣＰＵ９１は、頁情報をページメモリ制御部３７に送信する。ページメモリ制御部３７は、頁情報に基づいて「ファイルＡ」のタグ情報が付与された３頁目に「文書Ｂ」を挿入する制御を行う。
【００４６】
まず、ページメモリ制御部３７は、頁情報に基づいて「ファイルＡ」の１頁目をページメモリ３８でビットマップデータに展開して、共有ＲＡＭ３５に送信する。続いて、ぺ−ジメモリ制御部３７は、頁情報に基づいて「ファイルＡ」の２頁目をページメモリ３８でビットマップデータに展開して、共有ＲＡＭ３５に送信する。３頁目になった際、ページメモリ制御部３７は、頁情報に基づいてタグ情報を確認し、３頁目として「文書Ｂ」をページメモリ３８でビットマップデータに展開して、共有ＲＡＭ３５に送信する。さらに、ページメモリ制御部３７は、頁情報に基づいて「ファイルＡ」の４頁目をページメモリ３８でビットマップデータに展開して、共有ＲＡＭ３５に送信する。続いて、ぺ−ジメモリ制御部３７は、頁情報に基づいて「ファイルＡ」の５頁目をページメモリ３８でビットマップデータに展開して、共有ＲＡＭ３５に送信する。
【００４７】
共有ＲＡＭ３５は、受信した情報を順次、保存する。
【００４８】
プリンタＣＰＵ１１０は、予めステップＳＴ５において設定されたフィニッシングに基づいて、共有ＲＡＭ３５に保存されている画像データを読み出して、画像出力する（ＳＴ１０）。
【００４９】
結果として、デジタル複写機１は、１、２、４、５頁目には「ファイルＡ」のスキャン画像を、３頁目には「文書Ｂ」のＰＣ作成文書を挿入して、画像出力する。
【００５０】
続いて、メインＣＰＵ９１は、スキャン画像（ファイルＡ）とＰＣ作成文書（文書Ｂ）を消去するか否かを液晶表示部４３に表示してユーザに確認する（ＳＴ１１）。
【００５１】
「ファイルＡ」と「文書Ｂ」を消去する指示がされた際、メインＣＰＵ９１は、ＨＤＤ４０から「ファイルＡ」と「文書Ｂ」の画像データを消去する（ＳＴ１２）。
【００５２】
画像データを消去しない指示がされた場合、メインＣＰＵ９１は、処理動作を終了する。
【００５３】
また、ステップＳＴ４で、スキャン画像の「ファイルＡ」をプリンタ出力しない選択がされた場合の動作を説明する。
【００５４】
すなわち、プリンタ出力しない指示がされた場合、メインＣＰＵ９１は、ネットワークスキャン機能を使用するか否かを液晶表示部４３に表示してユーザに確認する（ＳＴ１３）。
【００５５】
ネットワークスキャン機能を使用しない指示がされた際、メインＣＰＵ９１は、処理動作を終了する。
【００５６】
ネットワークスキャン機能を使用する指示をした際、ユーザは、さらに操作パネル４１から、ネットワーク１４０を介してＰＣ１５０にログインし、ＰＣ１５０内の作成文書（例えば、文書Ｂ）を指定する（ＳＴ１４）。ＰＣ１５０は、ネットワーク１４０を介して、指定された「文書Ｂ」をデジタル複合機（本体）１に送信する（ＳＴ１５）。デジタル複合機（本体）１が「文書Ｂ」を受信した際、メインＣＰＵ９１は、ＨＤＤ４０に「文書Ｂ」を保存する（ＳＴ１６）。
【００５７】
ここで、ユーザは、操作パネル４１から、ＨＤＤ４０に保存されている「ファイルＡ」を指定する（ＳＴ１７）。メインＣＰＵ９１は、指定された「ファイルＡ」および「文書Ｂ」を読み出して、外部Ｉ／Ｆ３９およびネットワーク１４０を介して、ＰＣ１５０に送信する。
【００５８】
この際、メインＣＰＵ９１は、「ファイルＡ」の１頁ごとのデータ量を確認する。この確認は、所定の閾値と比較することによって、「白紙」のデータ量を持つ情報であるか否かを判断する。メインＣＰＵ９１は、データ量から「白紙」と判断した際、その頁情報にタグ情報を付与する。
【００５９】
上述したように、３頁目に白紙を読み込ませたので、３頁目にタグ情報が付与される。よって、メインＣＰＵ９１は、この頁情報に基づいて、「ファイルＡ」のタグ情報が付与された３頁目に「文書Ｂ」を挿入する制御を行う（ＳＴ１８）。結果として、デジタル複写機１は、１、２、４、５頁目には「ファイルＡ」のスキャン画像を、３頁目には「文書Ｂ」のＰＣ作成文書を挿入して、ＰＣ１５０に送信することになる。
【００６０】
続いて、メインＣＰＵ９１は、スキャン画像（ファイルＡ）とＰＣ作成文書（文書Ｂ）を消去するか否かを液晶表示部４３に表示してユーザに確認する（ＳＴ１１）。「ファイルＡ」と「文書Ｂ」とを消去する指示がされた際、メインＣＰＵ９１は、ＨＤＤ４０から「ファイルＡ」と「文書Ｂ」の画像データを消去する（ＳＴ１２）。
【００６１】
「ファイルＡ」と「文書Ｂ」の画像データを消去しない指示がされた場合、メインＣＰＵ９１は、処理動作を終了する。
【００６２】
次に、第２実施例の処理動作を図５，６のフローチャートを参照して説明する。
【００６３】
まず、原稿のスキャン画像を入力する前に、このスキャン画像にＰＣ１５０で作成した文書を挿入する位置（頁）を指定する（ＳＴ２１）。本第２実施例では、ユーザが、操作パネル４１から、頁情報を入力する際に挿入位置の頁にタグ情報を付与することで行う。例えば、原稿のスキャン画像４頁とＰＣ作成文書１頁を含む合計５頁を出力するものとする。このとき、ユーザは、ＰＣ作成文書を挿入したい頁（例えば３頁目）にタグ情報を付与して頁情報を入力する。
【００６４】
ここで、スキャンする原稿がＡＤＦ３に載置される。ユーザが、操作パネル４１からスキャンする指示をした際、メインＣＰＵ９１は、ＡＤＦ３およびカラースキャナ部１を用いて原稿をスキャンさせる（ＳＴ２２）。メインＣＰＵ９１は、一旦、スキャン画像をＨＤＤ４０に保存する。
【００６５】
ユーザは、操作パネル４１を用いてスキャンされた画像のファイル名（ファイルヘッダー）を設定する。例えば、ファイル名として「ファイルＡ」が、設定されたものとする。メインＣＰＵ９１は、このスキャン画像にファイル名「ファイルＡ」を付与して、ＨＤＤ４０に保存する（ＳＴ２３）。なお、ユーザは、必要に応じてスキャン画像を圧縮処理してＨＤＤ４０に保存するようにしてもよい。
【００６６】
続いて、メインＣＰＵ９１は、「ファイルＡ」をプリンタ出力するか否かを液晶表示部４３に表示してユーザに確認する（ＳＴ２４）。
【００６７】
「ファイルＡ」をプリンタ出力する指示をした際、ユーザは、さらに操作パネル４１を利用してフィニッシングを設定する（ＳＴ２５）。
【００６８】
ここで、ユーザは、ＰＣ１５０のドライバ上から、ネットワーク１４０を介して、ＰＣ１５０内の作成文書（例えば、文書Ｂ）をデジタル複合機（本体）１に送信する（ＳＴ２６）。デジタル複合機１が「文書Ｂ」を受信した際、メインＣＰＵ９１は、ＨＤＤ４０に「文書Ｂ」を保存する（ＳＴ２７）。
【００６９】
ユーザは、ＰＣ１５０のドライバ上から、ネットワーク１４０を介してＨＤＤ４０に保存されている「ファイルＡ」を指定する（ＳＴ２８）。メインＣＰＵ９１は、指定された「ファイルＡ」および「文書Ｂ」をＨＤＤ４０から読み出して、ページメモリ制御部３７に送信する。
【００７０】
メインＣＰＵ９１は、タグ情報を含む頁情報をページメモリ制御部３７に送信する。ページメモリ制御部３７は、タグ情報を含む頁情報に基づいて、スキャン画像「ファイルＡ」に対してタグ情報が付与された３頁目に「文書Ｂ」を挿入する制御を行う。
【００７１】
まず、ページメモリ制御部３７は、頁情報に基づいて「ファイルＡ」の１頁目をページメモリ３８でビットマップデータに展開して、共有ＲＡＭ３５に送信する。続いて、ぺ−ジメモリ制御部３７は、頁情報に基づいて「ファイルＡ」の２頁目をページメモリ３８でビットマップデータに展開して、共有ＲＡＭ３５に送信する。３頁目になった際、ページメモリ制御部３７は、頁情報に基づいてタグ情報を確認し、３頁目として「文書Ｂ」をページメモリ３８でビットマップデータに展開して、共有ＲＡＭ３５に送信する。さらに、ページメモリ制御部３７は、頁情報に基づいて「ファイルＡ」の３頁目をページメモリ３８でビットマップデータに展開して、４頁目として共有ＲＡＭ３５に送信する。続いて、ぺ−ジメモリ制御部３７は、頁情報に基づいて「ファイルＡ」の４頁目をページメモリ３８でビットマップデータに展開して、５頁目として共有ＲＡＭ３５に送信する。
【００７２】
共有ＲＡＭ３５は、受信した情報を順次、保存する。
【００７３】
プリンタＣＰＵ１１０は、予めステップＳＴ５において設定されたフィニッシングに基づいて、共有ＲＡＭ３５に保存されている画像データを読み出して、画像出力する（ＳＴ２９）。
【００７４】
結果として、デジタル複写機１は、１、２、４、５頁目には「ファイルＡ」のスキャン画像を、３頁目には「文書Ｂ」のＰＣ作成文書を挿入して、画像出力する。
【００７５】
続いて、メインＣＰＵ９１は、スキャン画像（ファイルＡ）とＰＣ作成文書（文書Ｂ）を消去するか否かをＰＣ１５０の表示部１５０ａに表示してユーザに確認する（ＳＴ３０）。
【００７６】
「ファイルＡ」と「文書Ｂ」を消去する指示がされた際、メインＣＰＵ９１は、ＨＤＤ４０から「ファイルＡ」と「文書Ｂ」の画像データを消去する（ＳＴ３１）。
【００７７】
画像データを消去しない指示がされた場合、メインＣＰＵ９１は、処理動作を終了する。
【００７８】
また、ステップＳＴ４で、スキャン画像の「ファイルＡ」をプリンタ出力しない選択がされた場合の動作を説明する。
【００７９】
すなわち、プリンタ出力しない指示がされた場合、メインＣＰＵ９１は、ネットワークスキャン機能を使用するか否かをＰＣ１５０の表示部１５０ａに表示してユーザに確認する（ＳＴ３２）。
【００８０】
ネットワークスキャン機能を使用しない指示がされた際、メインＣＰＵ９１は、処理動作を終了する。
【００８１】
ネットワークスキャン機能を使用する指示をした際、ユーザは、ＰＣ１５０のドライバ上から、ネットワーク１４０を介してＰＣ１５０内の作成文書（例えば、文書Ｂ）をデジタル複合機（本体）１に送信する（ＳＴ３３）。デジタル複合機（本体）１が「文書Ｂ」を受信した際、メインＣＰＵ９１は、ＨＤＤ４０に「文書Ｂ」を保存する（ＳＴ３４）。
【００８２】
ここで、ユーザは、ＰＣ１５０のドライバ上から、ネットワーク１４０を介してＨＤＤ４０に保存されている「ファイルＡ」を指定する（ＳＴ３５）。メインＣＰＵ９１は、指定された「ファイルＡ」および「文書Ｂ」を読み出し、「ファイルＡ」に対してタグ情報が付与された３頁目に「文書Ｂ」を挿入し、外部Ｉ／Ｆ３９およびネットワーク１４０を介してＰＣ１５０に送信する（ＳＴ３６）。結果として、デジタル複写機１は、１、２、４、５頁目には「ファイルＡ」のスキャン画像を、３頁目には「文書Ｂ」のＰＣ作成文書を挿入して、ＰＣ１５０に送信することになる。
【００８３】
続いて、メインＣＰＵ９１は、スキャン画像（ファイルＡ）とＰＣ作成文書（文書Ｂ）を消去するか否かをＰＣ１５０の表示部１５０ａに表示してユーザに確認する（ＳＴ３０）。「ファイルＡ」と「文書Ｂ」とを消去する指示がされた際、メインＣＰＵ９１は、ＨＤＤ４０から「ファイルＡ」と「文書Ｂ」の画像データを消去する（ＳＴ３１）。
【００８４】
「ファイルＡ」と「文書Ｂ」の画像を消去しない指示がされた場合、メインＣＰＵ９１は、処理動作を終了する。
【００８５】
以上説明したように上記発明の実施の形態によれば、スキャンした画像データにＰＣの文書データを挿入して画像出力することを可能とし、予めフィニッシングを設定しておくことで、この出力画像にフィニッシング処理を行うことを可能とする。それによって、鮮明な画像を出力することができる。
【００８６】
また、スキャンした画像データにＰＣの文書データを挿入し、ネットワークを介して外部装置（ＰＣ）に送信することを可能とすることによって、ユーザの操作性を向上することができる。
【００８７】
なお、上記第１の実施例ではデジタル複合機１からＰＣ１５０にログインし、第２の実施例ではＰＣ１５０からデジタル複合機１にログインしたが、どちらからログインしても良い。
【００８８】
なお、本願発明は、上記（各）実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題（の少なくとも１つ）が解決でき、発明の効果の欄で述べられている効果（の少なくとも１つ）が得られる場合には、この構成要件が削除された構成が発明として抽出され得る。
【００８９】
【発明の効果】
以上詳述したようにこの発明によれば、ネットワークを利用して、パーソナルコンピュータで作成した文書データをスキャンした画像データに挿入し、さらにフィニッシング処理を加えて効率良く画像出力することができる画像形成装置と画像形成方法を提供することができる。
【図面の簡単な説明】
【図１】この発明の画像形成装置に係るデジタル複合機の内部構造を示す断面図。
【図２】デジタル複合機の概略構成を示すブロック図。
【図３】第１の実施例に係る処理動作を説明するためのフローチャート。
【図４】第１の実施例に係る処理動作を説明するためのフローチャート。
【図５】第２の実施例に係る処理動作を説明するためのフローチャート。
【図６】第２の実施例に係る処理動作を説明するためのフローチャート。
【符号の説明】
１…スキャナ部、２…カラープリンタ部、３０…主制御部、３２…ＲＯＭ、３３…ＲＡＭ、３５…共有ＲＡＭ、３７…ページメモリ制御部、３８…ページメモリ、３９…外部インターフェース、４０…ハードディスク装置、９１…メインＣＰＵ、１４０…ネットワーク、１５０…パーソナルコンピュータ。
【図１】
2004222224.tif 000003
【図２】
2004222224.tif 000004
【図３】
2004222224.tif 000005
【図４】
2004222224.tif 000006
【図５】
2004222224.tif 000007
【図６】
2004222224.tif 000008